(57)【特許請求の範囲】
【請求項１】
表示部と、
文字情報を取得する文字情報取得部と、
加速度を検出して、加速度が加わった方向の情報を検出する加速度センサと、
ユーザの所定の操作により得られた加速度の検出方向の情報によってトリガ信号を検出するトリガ信号検出部と、
前記トリガ信号検出部により前記トリガ信号を検出した場合に、前記文字情報に含まれる所定の単語を当該単語に関連する記号に置き換えることにより前記文字情報を簡単化する文字情報変換部と、
前記文字情報変換部により簡単化された文字情報を前記表示部に表示させる表示制御部と、
前記簡単化された文字情報を編集する文字情報編集部と、を備える携帯電子機器。
【請求項２】
表示部と、
文字情報を取得する文字情報取得部と、
検出体の表面を移動する外部物体の移動方向を検出する接触センサと、
ユーザの所定の操作により検出された前記外部物体の移動方向の情報に対応したトリガ信号を検出するトリガ信号検出部と、
前記トリガ信号検出部により前記トリガ信号を検出した場合に、前記文字情報に含まれる所定の単語を当該単語に関連する記号に置き換えることにより前記文字情報を簡単化する文字情報変換部と、
前記文字情報変換部により簡単化された文字情報を前記表示部に表示させる表示制御部と、
前記簡単化された文字情報を編集する文字情報編集部と、を備える携帯電子機器。
【請求項３】
前記所定の単語と前記記号とを対応付けて記憶する記憶部と、
前記文字情報取得部により取得された前記文字情報に前記所定の単語が含まれるか否かを判定する判定部と、をさらに備え、
前記文字情報変換部は、前記文字情報に前記所定の単語が含まれると前記判定部により判定された場合に、前記所定の単語に対応する前記記号を前記記憶部から読み出して、前記文字情報に含まれる前記所定の単語を前記記号に置き換える請求項１に記載の携帯電子機器。
【請求項４】
音声が入力され、前記音声を認識してテキストデータに変換し、前記テキストデータを前記トリガ信号検出部に入力させる音声認識部をさらに備え、
前記トリガ信号検出部は、入力された前記テキストデータを構成するテキストに所定テキストが含まれる場合に前記所定のトリガ信号として検出する請求項１に記載の携帯電子機器。
【請求項５】
表示部と、
文字情報を取得する文字情報取得部と、
ユーザの動作が第１方向への変位であるときに、第１トリガ信号を検出し、ユーザの動作が前記第１方向とは異なる第２方向への変位であるときに、第２トリガ信号を検出するトリガ信号検出部と、
前記トリガ信号検出部により前記第１トリガ信号を検出した場合に、所定の単語を当該単語に関連する記号に置き換えることにより簡単化された第３の文字情報に変換し、
前記トリガ信号検出部により前記第２トリガ信号を検出した場合に、第３の文字情報を第１の文字情報に変換する文字情報変換部と、
前記文字情報変換部により変換された後の第１または第３の文字情報のうちのいずれか１つを前記表示部に表示させる表示制御部と、
前記簡単化された文字情報を編集する文字情報編集部と、を備える携帯電子機器。
【請求項６】
前記表示部は、前記文字情報変換部により簡単化された文字情報と、当該文字情報に関連する処理内容を選択する選択候補の少なくとも一部とを表示する請求項１に記載の携帯電子機器。
【請求項７】
前記処理内容には、前記文字情報の編集機能、前記文字情報或いは前記文字情報を編集した文字情報をメール機能により送信する送信機能、前記文字情報を音声にて読み上げる音声読み上げ機能のいずれかを含む請求項６に記載の携帯電子機器。
【請求項８】
外部演算部と、端末部と、外部演算部側通信部と、携帯電子機器側通信部とを含み、
前記端末部に設けられた表示部と、
前記端末部に設けられ、文字情報を取得する文字情報取得部と、
前記端末部に設けられ、加速度を検出して、加速度が加わった方向の情報を検出する加速度センサと、
前記端末部に設けられ、ユーザの動作により得られた加速度の検出方向の情報によってトリガ信号を検出するトリガ信号検出部と、
前記外部演算部に設けられ、前記トリガ信号検出部により前記トリガ信号を検出した場合に、前記文字情報に含まれる所定の単語を当該単語に関連する記号に置き換えることにより前記文字情報を簡単化する文字情報変換部と、
前記端末部に設けられ、前記文字情報変換部により簡単化された文字情報を前記表示部に表示させる表示制御部と、
前記簡単化された文字情報を編集する文字情報編集部と、を含む文字情報変換システム。
【発明の詳細な説明】
【技術分野】
【０００１】
本発明は、使用者の操作に応じて文字情報を変換する携帯電子機器及び文字情報変換システムに関する。
【背景技術】
【０００２】
携帯電話機には、メールを送信する場合に、送信先メールアドレス及び送信元メールアドレスのドメイン名に応じて、メールの件名及び本文中に含まれる絵文字を、絵文字の意味に対応する文字列に自動的に変換する機能を有するものがある（特許文献１参照）。
【先行技術文献】
【特許文献】
【０００３】
【特許文献１】特開２００４−９６４５４号公報
【発明の概要】
【発明が解決しようとする課題】
【０００４】
しかしながら、特許文献１に記載された発明は、送信元となる携帯電話機と送信先となる携帯電話機とがそれぞれ異なる通信事業者に属している場合に利用される。したがって、特許文献１に記載された発明は、一つの携帯電話機において、文章中に絵文字が含まれている場合に、その絵文字を、絵文字の意味に対応する文字列に変換すると共に、文章中に絵文字が含まれていない場合に、その文章中の所定の文字列を、所定の文字列に対応する絵文字に変換することにより、使用者の好みに応じた文章に変換するというものではない。
【０００５】
本発明は、文字情報と簡単化された文字情報とを相互に変換することができる携帯電子機器及び文字情報変換システムを提供することを目的とする。
【課題を解決するための手段】
【０００６】
本発明は、表示部と、文字情報を取得する文字情報取得部と、ユーザの所定の操作に対応したトリガ信号を検出するトリガ信号検出部と、前記トリガ信号検出部により前記トリガ信号を検出した場合に、前記文字情報に含まれる所定の単語を当該単語に関連する記号に置き換えることにより前記文字情報を簡単化する文字情報変換部と、前記文字情報変換部により簡単化された文字情報を前記表示部に表示させる表示制御部と、前記簡単化された文字情報を編集する文字情報編集部と、を備える携帯電子機器に関する。
【０００７】
電子機器は、前記所定の単語と前記記号とを対応付けて記憶する記憶部と、前記文字情報取得部により取得された前記文字情報に前記所定の単語が含まれるか否かを判定する判定部と、をさらに備え、前記文字情報変換部は、前記文字情報に前記所定の単語が含まれると前記判定部により判定された場合に、前記所定の単語に対応する前記記号を前記記憶部から読み出して、前記文字情報に含まれる前記所定の単語を前記記号に置き換えることが好ましい。
【０００８】
電子機器は、加速度を検出して、加速度が加わった方向の情報を含むトリガ信号を前記トリガ信号検出部に入力させる加速度センサをさらに備え、前記トリガ信号検出部は、入力された前記トリガ信号に基づいて前記加速度が加わった検出方向の情報を取得することが好ましい。
【０００９】
電子機器は、検出体の表面を移動する外部物体の移動方向を検出して、移動方向の情報を含むトリガ信号を前記トリガ信号検出部に入力させる接触センサをさらに備え、前記トリガ信号検出部は、入力された前記トリガ信号に基づいて前記移動方向の情報を取得することが好ましい。
【００１０】
電子機器は、音声が入力され、前記音声を認識してテキストデータに変換し、前記テキストデータを前記トリガ信号検出部に入力させる音声認識部をさらに備え、前記トリガ信号検出部は、入力された前記テキストデータを構成するテキストに所定テキストが含まれる場合に前記所定のトリガ信号として検出することが好ましい。
【００１１】
本発明は、表示部と、文字情報を取得する文字情報取得部と、ユーザの動作に基づく所定の第１トリガ信号と、ユーザの動作に基づく所定の第２トリガ信号とを検出するトリガ信号検出部と、前記トリガ信号検出部により前記第１トリガ信号を検出した場合に、所定の単語を当該単語に関連する記号に置き換えることにより簡単化された第３の文字情報に変換し、前記トリガ信号検出部により前記第２トリガ信号を検出した場合に、第３の文字情報を第１の文字情報に変換する文字情報変換部と、前記文字情報変換部により変換された後の第１または第３の文字情報のうちのいずれか１つを前記表示部に表示させる表示制御部と、前記簡単化された文字情報を編集する文字情報編集部と、を備える携帯電子機器に関する。
【００１２】
電子機器は、第１方向への変位に基づいて第１トリガ信号を前記トリガ信号検出部に入力させ、第１方向とは異なる第２方向への変位に基づいて第２トリガ信号を前記トリガ信号検出部に入力させるトリガ信号入力部をさらに備えることが好ましい。
【００１３】
前記表示部は、前記文字情報変換部により簡単化された文字情報と、当該文字情報に関連する処理内容を選択する選択候補の少なくとも一部とを表示することが好ましい。
【００１４】
前記処理内容には、前記文字情報の編集機能、前記文字情報或いは前記文字情報を編集した文字情報をメール機能により送信する送信機能、前記文字情報を音声にて読み上げる音声読み上げ機能のいずれかを含むことが好ましい。
【００１５】
本発明は、外部演算部と、端末部と、外部演算部側通信部と、携帯電子機器側通信部とを含み、前記端末部に設けられた表示部と、前記端末部に設けられ、文字情報を取得する文字情報取得部と、前記端末部に設けられ、ユーザの動作に基づく所定のトリガ信号を検出するトリガ信号検出部と、前記外部演算部に設けられ、前記トリガ信号検出部により前記トリガ信号を検出した場合に、前記文字情報に含まれる所定の単語を当該単語に関連する記号に置き換えることにより前記文字情報を簡単化する文字情報変換部と、前記端末部に設けられ、前記文字情報変換部により簡単化された文字情報を前記表示部に表示させる表示制御部と、前記簡単化された文字情報を編集する文字情報編集部と、を含む文字情報変換システムに関する。
【発明の効果】
【００２８】
本発明の携帯電子機器及び文字情報変換システムによれば、文字情報と簡単化された文字情報とを相互に変換することができる。
【図面の簡単な説明】
【００２９】
【図１】本発明の第１の実施形態に係る携帯電話機１の外観斜視図である。
【図２】第１の実施形態に係る携帯電話機が当該機能を発揮するための構成を示す機能ブロック図である。
【図３】受信メールを表示部に表示した状態で、携帯電話機を所定方向に振った場合における携帯電話機の動作を示す図である。
【図４】第１の実施形態の携帯電話機の動作を示すフローチャートである。
【図５】第２の実施形態に係る携帯電話機が当該機能を発揮するための構成を示す機能ブロック図である。
【図６】受信メールを表示部に表示した状態で、携帯電話機を所定方向に振った場合における携帯電話機の動作を示す図である。
【図７】第２の実施形態の携帯電話機の動作を示すフローチャートである。
【図８】携帯電話機を所定方向に複数回振った場合における携帯電話機の動作を示す図である。
【図９】複数段階の変換レベルが設定された場合の文字変換時の状態遷移図である。
【図１０】絵文字−単語変換表を説明する図である。
【図１１】本発明の他の実施形態に係るシステムの構成を示す機能ブロック図である。
【発明を実施するための形態】
【００３０】
＜第１の実施形態＞
以下、本発明を実施するための好ましい実施形態について、図面を参照しながら説明する。まず、本発明の第１の実施形態に係る携帯電子機器としての携帯電話機１の基本構造について、図１を参照しながら説明する。
図１は、本発明の第１の実施形態に係る携帯電話機１の外観斜視図である。
【００３１】
携帯電話機１は、筐体としての操作部側筐体２と、表示部側筐体３と、操作部側筐体２と表示部側筐体３とを連結するヒンジ機構４と、を備える。
操作部側筐体２は、前面１０に、操作部１１及びマイク１２を備えて構成される。操作部側筐体２の前面１０は、携帯電話機１を折り畳んだ状態で表示部側筐体３と向かい合う面である。
操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５と、から構成されている。
マイク１２は、携帯電話機１の使用者が通話時に発した音声を入力するために用いられる。
また、操作部側筐体２の後面（図示せず）には、撮像部３２（図２参照）が設けられている。撮像部３２は、外部から画像情報を取得するために用いられる。
【００３２】
表示部側筐体３は、前面２０に、表示部２１とレシーバ２２と、を備えて構成される。表示部側筐体３の前面２０は、携帯電話機１を折り畳んだ状態で操作部側筐体２と向かい合う面である。
表示部２１は、通話の相手側の電話番号やメールアドレス、及びメールの内容等の各種情報（文字情報や画像情報）を表示する。レシーバ２２は、通話の相手側の音声を出力する。
また、表示部側筐体３の側面には、スピーカ６１（図２参照）が設けられている。スピーカ６１は、携帯電話機１への着信を知らせる音声等を出力する。
【００３３】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００３４】
本実施形態に係る携帯電話機１は、所定のトリガ信号を検出した場合に、文字情報を、文章の要素からなる簡単化された文字情報に変換し、又は文章の要素からなる簡単化された文字情報を、簡単化されていない文字情報に変換する機能を有する。
【００３５】
以下に、携帯電話機１に係る当該機能を発揮するための構成と動作について詳述する。
図２は、第１の実施形態に係る携帯電話機１が当該機能を発揮するための構成を示す機能ブロック図である。
【００３６】
携帯電話機１は、入力部３０と、トリガ信号入力部５０と、制御部４０と、記憶部６０と、表示部２１と、スピーカ６１とを備える。
【００３７】
入力部３０は、所定の情報を入力可能な機能を有している。本実施形態では、Ｗｅｂ情報及びメール情報を入力可能な通信部３１と、所定の入力操作が行われる操作部１１と、画像情報を入力可能な撮像部３２と、音声情報を入力可能なマイク１２とが入力部３０として機能する。
【００３８】
トリガ信号入力部５０は、変位に基づく所定の入力を検出して、変位の情報を含むトリガ信号を後述するトリガ信号検出部４２に入力させる。本実施形態の場合、トリガ信号入力部５０は、加速度センサ５１から構成される。加速度センサ５１は、携帯電話機１の位置が移動する（変位する）ことにより携帯電話機１に加速度が加わった場合に、その加速度を検出して加速度が加わった方向（変位方向）の情報を含むトリガ信号を出力する。
【００３９】
制御部４０は、文字情報取得部４１と、トリガ信号検出部４２と、文字情報変換部４３と、表示制御部４４と、音声変換部４５と、登録制御部４６とを備える。
【００４０】
文字情報取得部４１は、入力部３０に入力された情報に基づいて文字情報を取得する。具体的には、文字情報取得部４１は、通信部３１を介して取得されたＷｅｂ情報及びメール情報、撮像部３２により撮像された画像情報、及びマイク１２により入力された音声情報に基づいて文字情報を取得する。また、文字情報取得部４１は、操作部１１が操作させることにより生成された文字情報を取得する。
【００４１】
トリガ信号検出部４２は、所定のトリガ信号を検出する。具体的には、トリガ信号検出部４２は、加速度センサ５１から入力されたトリガ信号に基づいて加速度が加わった方向（加速度方向）の情報を取得する。
【００４２】
文字情報変換部４３は、トリガ信号検出部４２によりトリガ信号を検出した場合に、文字情報から文章の要素を抽出して、文章の要素を所定の順に並べ替えることにより文字情報を簡単化する。具体的には、文字情報変換部４３は、文字情報を形態素解析して文章を単語毎に区切った後、文章の要素を抽出する。
また、文字情報変換部４３は、トリガ信号検出部によりトリガ信号を検出した場合に、文章の要素から構成される簡単化された文字情報を、文章から構成された文字情報に変換する。
【００４３】
表示制御部４４は、文字情報変換部４３により簡単化された文字情報を表示部２１に表示させる。また、表示制御部４４は、文字情報変換部４３により変換された文章から構成された文字情報を表示部２１に表示させる。
【００４４】
音声変換部４５は、文字情報を音声情報に変換する。また、音声変換部４５は、簡単化された文字情報を音声情報に変換する。
【００４５】
登録制御部４６は、記憶部６０に記憶されたスケジュール帳、メモ帳又はアドレス帳に簡単化された文字情報を登録する。
【００４６】
記憶部６０は、スケジュール帳、メモ帳又はアドレス帳が記憶される。また、記憶部６０は、簡単化された文字情報を文字情報に変換するときに用いられる変換情報を記憶する。
【００４７】
表示部２１は、液晶表示パネルや有機ＥＬ（Ｅｌｅｃｔｒｏ  Ｌｕｍｉｎｅｓｃｅｎｃｅ）パネル等の表示デバイスから構成される。
スピーカ６１は、音声情報出力部として機能し、音声情報を音声として出力する。
【００４８】
ここで、携帯電話機１の動作の具体例について図３を参照しながら説明する。
図３は、受信メールを表示部２１に表示した状態で、携帯電話機１を所定方向に振った場合における携帯電話機１の動作を示す図である。
【００４９】
図３（ａ）に示すように受信メールを表示部２１に表示した状態で、使用者が携帯電話機１を所定方向（例えば横方向）に振ると、加速度センサ５１は加速度を検知する。さらに、加速度センサ５１は、トリガ信号をトリガ信号検出部４２に出力する。トリガ信号検出部４２は、所定のトリガ信号として検出する。すると、文字情報変換部４３は、受信メール本文の形態素解析を行い、受信メール本文を構成する文字情報から文章の要素を抽出する。すなわち、文字情報変換部４３は、文章の要素として、「いつ」、「どこで」、「誰が」、「何を」、「どうして」、「どのように」、（５Ｗ１Ｈ）を抽出する。さらに、文字情報変換部４３は、抽出された文章の要素を所定の順番に並べ替える。
【００５０】
表示制御部４４は、図３（ｂ）に示すように、文字情報変換部４３により抽出された文章の要素（５Ｗ１Ｈ）を表示部２１に表示させる。なお、図３（ｂ）に示す場合では、表示制御部４４は、「いつ」、「どこで」、「誰が」、「何を」、という文章の要素のみを表示部２１に表示させているが、表示部２１に表示される文章の要素は図３（ｂ）に示す場合に限定されない。また、図３（ｂ）に示す場合、文字情報変換部４３は、文章の要素を「いつ」、「どこで」、「誰が」、「何を」、という順番に並び替えている。
【００５１】
また、表示制御部４４は、図３（ｂ）に示すように、文章の要素（簡単化された文字情報）と共に、受信メール本文（文字情報）も表示部２１に表示させてもよい。この場合、受信メール本文中において文章の要素として抽出された箇所は、マーカ表示されてもよい。
【００５２】
さらに、表示制御部４４は、「いつ」に対応する文章の要素として、開始時刻及び終了時刻を表示部２１に表示させるようにしてもよい。この場合、文字情報変換部４３は、受信メール本文中に最初に出る時刻（図３（ａ）中の１８：００）を開始時刻とし、次に出る時刻（図３（ａ）中の２０：００）を終了時刻とするような解析を行えばよい。
【００５３】
次に、使用者が携帯電話機１を所定方向（例えば横方向）に振ると、加速度センサ５１は、加速度を検知し、トリガ信号をトリガ信号検出部４２に出力する。トリガ信号検出部４２は、所定のトリガ信号を検出する。すると、登録制御部４６は、文章の要素（簡単化された文字情報）を、記憶部６０に記憶されたスケジュール帳、メモ帳又はアドレス帳に登録する。図３（ｃ）は、文章の要素をスケジュール帳に登録したときの登録画面である。なお、図３（ｃ）に示す場合では、登録制御部４６は、「いつ」に対応する文章の要素として、開始時刻及び終了時刻をスケジュール帳に登録している。
【００５４】
次に、使用者が携帯電話機１を所定方向（例えば縦方向）に振ると、加速度センサ５１は、加速度を検知し、トリガ信号をトリガ信号検出部４２に出力する。トリガ信号検出部４２は、所定のトリガ信号を検出する。すると、文字情報変換部４３は、記憶部６０に記憶される後述する変換情報に基づいて、スケジュール帳、メモ帳又はアドレス帳に登録されている文章の要素（簡単化された文字情報）を文章（文字情報）に変換する。
【００５５】
一例としては、記憶部６０には、変換情報として、文章の要素である「いつ」に対応させて「〜（開始時刻）から〜（終了時刻）まで。」、「どこで」に対応させて「場所は、〜です。」等の文章情報が記憶されている。なお、これらの文章情報の「〜」部分には、文章の要素が挿入される。文字情報変換部４３は、トリガ信号検出部４２により所定のトリガ信号を検出した場合、スケジュール帳、メモ帳又はアドレス帳に登録された文章の要素を読み出すと共に、記憶部６０に記憶された変換情報を読み出して、文章の要素を変換情報に挿入する。より具体的には、文章の要素としての「いつ」に対応して開始時刻（１８：００）と終了時刻（２０：００）が登録され、変換情報としての「いつ」に対応して「〜（開始時刻）から〜（終了時刻）まで。」が記憶されている場合に、文字情報変換部４３は、文章の要素を変換情報に挿入して「１８：００から２０：００まで。」という文章を作成する。さらに、文章の要素としての「場所」に対応して「会議室Ａ」が登録され、変換情報としての「場所」に対応して「場所は、〜です。」が記憶されている場合に、文字情報変換部４３は、文章の要素を変換情報に挿入して「場所は、会議室Ａです。」という文章を作成する。
【００５６】
文字情報変換部４３は、上記のような一例を示したように、文章の要素から文章への変換を行うことにより、例えば、図３（ｃ）に示すスケジュール登録情報を図３（ｂ）に示すような文章に変換する。
【００５７】
なお、変換情報は、仕事上で使用されるような文章に変換するパターン、友人との間で使用されるような文章に変換するパターン、敬語が使用された文章に変換するパターン、及び「会議」という文字列ではなく「ミーティング」という文字列を使用するような外国語を適宜使用するパターン等の複数パターンを有していてもよい。この場合、文字情報変換部４３は、複数パターンの中から選択された１つのパターンの変換情報に基づいて、簡単化された文章を文章から構成された文字情報に変換する。
【００５８】
次に、使用者が携帯電話機１を所定方向（例えば縦方向）に振ると、加速度センサ５１は、加速度を検知し、トリガ信号をトリガ信号検出部４２に出力する。トリガ信号検出部４２は、所定のトリガ信号を検出する。すると、表示制御部４４は、図３（ａ）に示すように、文章（文字情報）のみを表示部２１に表示させる。
【００５９】
次に、本実施形態の携帯電話機１の動作について、図４を参照しながら説明する。
図４は、第１の実施形態の携帯電話機１の動作を示すフローチャートである。
【００６０】
まず、ステップＳ１１において、表示制御部４４は、文字情報取得部４１により取得された文字情報を表示部２１に表示させる。
【００６１】
ステップＳ１２において、トリガ信号検出部４２は、加速度の検出に基づくトリガ信号が加速度センサ５１から入力されたか否かを判断する。加速度センサ５１から入力があった場合には、ステップＳ１３に進む。加速度センサ５１から入力がなかった場合には、ステップＳ１８に進む。
【００６２】
ステップＳ１３において、トリガ信号検出部４２は、入力されたトリガ信号に基づく加速度方向が横方向か否かを判断する。加速度方向（検出方向）が横方向の場合（ＹＥＳ）には、ステップＳ１４に進む。加速度方向（検出方向）が縦方向の場合（ＮＯ）には、ステップＳ１７に進む。
【００６３】
ステップＳ１４において、文字情報変換部４３は、文字情報取得部４１により取得された文字情報の形態素解析を行い、文章の要素を抽出する。
【００６４】
ステップＳ１５において、表示制御部４４は、文章の要素を所定の順に並び替えて表示部２１に表示させる。
【００６５】
ステップＳ１６において、表示制御部４４は、文字情報変換部４３により抽出された文章の要素の基となる文字情報を特定することができるよう文字情報にマーカを設定し、マーカが付された文字情報を表示部２１に表示させる。
【００６６】
ステップＳ１７において、表示制御部４４は、文字情報を表示部２１に表示させる。
【００６７】
ステップＳ１８において、制御部４０は、使用者の操作に基づいて処理を終了させるか否か判断する。処理を終了させる場合(ＹＥＳ)には、処理を終了させる。処理を終了させない場合（ＮＯ）には、ステップＳ１２の処理に戻る。
【００６８】
本実施形態の携帯電話機１によれば、以下のような効果を奏する。
携帯電話機１では、文字情報変換部４３により文字情報を形態素解析して文章の要素（簡単化された文字情報）を抽出し、抽出された文章の要素を所定の順に並び替えて表示部２１に表示させる。また、携帯電話機１では、文字情報変換部４３により簡単化された文字情報を文章から構成される文字情報に変換し、文章から構成される文字情報を表示部２１に表示させる。
【００６９】
これにより、携帯電話機１は、文字情報と簡単化された文字情報とを相互に変換することができる。そして、使用者は、文章の要素を確認することにより、入力された文章の記載内容が正しいか否かを確認することができ、文章から構成される文字情報の全文を読む必要がなくなる。また、使用者は、携帯電話機１に対する簡単な操作により、文字情報と簡単化された文字情報とを相互に変換することができると共に、簡単化された文字情報をスケジュール帳、メモ帳又はアドレス帳に登録することができる。
【００７０】
＜第２の実施形態＞
次に、第２の実施形態に係る携帯電話機１について説明する。
本実施形態に係る携帯電話機１の基本構成は、第１の実施形態に係る携帯電話機１と同じであるので、その説明を省略する。
【００７１】
本実施形態に係る携帯電話機１は、所定のトリガ信号を検出した場合に、文字情報を、記号を含む文字情報に変換し、又は記号を含む文字情報を文字情報に変換する機能を有する。なお、以下の実施形態では、記号の一例として絵文字を用いた場合について説明する。
【００７２】
以下に、携帯電話機１に係る当該機能を発揮するための構成と動作について詳述する。
図５は、第２の実施形態に係る携帯電話機１が当該機能を発揮するための構成を示す機能ブロック図である。
【００７３】
携帯電話機１は、入力部３０と、制御部４０と、トリガ信号入力部５０と、記憶部６０と、表示部２１と、スピーカ６１とを備える。入力部３０と、トリガ信号入力部５０と、表示部２１と、スピーカ６１とは、第１の実施形態で説明したものと同構成なので、その説明を省略する。
【００７４】
記憶部６０は、所定の単語とその単語に関連する絵文字とを対応付けて記憶する。さらに、記憶部６０は、スケジュール帳、メモ帳又はアドレス帳を記憶する。
【００７５】
制御部４０は、判定部４８をさらに備える。判定部４８は、文字情報取得部４１により取得された文字情報に所定の単語が含まれるか否かを判定する。
【００７６】
文字情報変換部４９は、判定部４８により文字情報に所定の単語が含まれると判定された場合に、文字情報に含まれる所定の単語を記憶部６０に対応付けて記憶される絵文字に置き換えて、絵文字を含む文字情報を生成する。絵文字を含む文字情報は、簡単化された文字情報となる。また、文字情報変換部４９は、文字を絵文字に置き換えることにより簡単化されている文字情報を、文章から構成される文字情報に変換する。
【００７７】
なお、文字情報取得部４１と、文字情報変換部４９と、表示制御部４４と、音声変換部４５と、登録制御部４６とは、第１の実施形態で説明したものと同構成なので、その説明を省略する。
【００７８】
ここで、携帯電話機１の動作の具体例について図６を参照しながら説明する。
図６は、受信メールを表示部２１に表示した状態で、携帯電話機１を所定方向に振った場合における携帯電話機１の動作を示す図である。
【００７９】
図６（ａ）に示すように絵文字を含む受信メールを表示部２１に表示した状態で、使用者が携帯電話機１を所定方向に振ると、加速度センサ５１は加速度を検知する。加速度センサ５１は、トリガ信号をトリガ信号検出部４２に出力する。トリガ信号検出部４２は、所定のトリガ信号を検出する。
【００８０】
すると、文字情報変換部４９は、受信メールに含まれる絵文字が、所定の単語に対応付けて記憶部６０に記憶されている絵文字と一致するものを検索する。さらに、文字情報変換部４９は、受信メールに含まれる絵文字が記憶部６０に記憶されている絵文字と一致するものがあれば、絵文字に対応させて記憶されている単語を記憶部６０から読み出して、絵文字を読み出された単語に置き換える。例えば、文字情報変換部４９は、図６（ａ）に示すように「おじいさんの顔」を表す絵文字７０を、図６（ｂ）に示すように「じじ」という単語７１に置き換える。表示制御部４４は、絵文字が単語に置き換えられ、文章から構成された文章情報を表示部２１に表示させる。
【００８１】
次に、図６（ｂ）に示すように文章から構成された受信メールを表示部２１に表示した状態で、使用者が携帯電話機１を所定方向（例えば横方向）に振ると、加速度センサ５１は、加速度を検知し、トリガ信号をトリガ信号検出部４２に出力する。トリガ信号検出部４２は、所定のトリガ信号を検出する。すると、判定部４８は、文字情報取得部４１により取得された文字情報に、絵文字に対応付けて記憶部６０に記憶された所定の単語が含まれるか否かを判定する。
【００８２】
文字情報変換部４９は、判定部４８により所定の単語が文字情報に含まれていると判定されると、文字情報に含まれる所定の単語を、その単語に対応付けられた絵文字に置き換えて、絵文字を含む文字情報を生成する。例えば、文字情報変換部４９は、図６（ｂ）に示すように「じじ」という単語７１を、図６（ａ）に示すように「おじいさんの顔」を示す絵文字７０に置き換える。
【００８３】
表示制御部４４は、絵文字を含む文字情報を簡単化された文字情報として表示部２１に表示させる。
【００８４】
次に、本実施形態の携帯電話機１の動作について、図７を参照しながら説明する。
図７は、第２の実施形態の携帯電話機１の動作を示すフローチャートである。
【００８５】
まず、ステップ２１において、表示制御部４４は、受信メールを表示部２１に表示させる。
【００８６】
ステップＳ２２において、トリガ信号検出部４２は、加速度の検出に基づくトリガ信号が加速度センサ５１から入力されたか否かを判断する。加速度センサ５１から入力があった場合には、ステップＳ２３に進む。加速度センサ５１から入力がなかった場合には、ループに進んだ後、ステップＳ２１の処理に戻る。
【００８７】
ステップＳ２３において、トリガ信号検出部４２は、入力されたトリガ信号に基づく加速度方向（検出方向）が縦方向か否かを判断する。加速度方向が縦方向の場合（ＹＥＳ）には、ステップＳ２４に進む。一方、加速度方向が横方向の場合（Ｎｏ）には、ステップＳ２６に進む。
【００８８】
ステップＳ２４において、文字情報変換部４９は、受信メールに含まれる絵文字のうち、所定の単語に対応付けて記憶部６０に記憶されている絵文字と一致するものを検索する。
【００８９】
ステップＳ２５において、文字情報変換部４９は、受信メールに含まれる絵文字に、所定の単語に対応付けられた絵文字と一致するものがあれば、絵文字に対応させて記憶されている所定の単語を記憶部６０から読み出して、絵文字を所定の単語（テキスト）に置き換える。ステップＳ２５の処理が終了すると、ステップＳ２１の処理に戻る。
【００９０】
ステップＳ２６において、判定部４８は、受信メールを構成する文字情報に、絵文字と対応付けて記憶部６０に記憶された所定の単語が含まれるか検索する。
【００９１】
ステップＳ２７において、文字情報変換部４９は、絵文字と対応付けて記憶部６０に記憶された所定の単語が文字情報に含まれていれば、文字情報に含まれる所定の単語（テキスト）を、その所定の単語に対応する絵文字に置き換える。ステップＳ２７の処理が終了すると、ステップＳ２１の処理に戻る。
【００９２】
本実施形態の携帯電話機１によれば、以下のような効果を奏する。
携帯電話機１では、文字情報に含まれる所定の単語を絵文字に置き換えて、絵文字を含む文字情報を簡単化された文字情報として表示部２１に表示させた。また、携帯電話機１では、簡単化された文字情報に含まれる絵文字を所定の単語に置き換えて、文章から構成された文字情報として表示部２１に表示させた。これにより、携帯電話機１は、使用者が簡単な操作を行うことにより、文字情報と簡単化された文字情報とを相互に変換することができる。
【００９３】
なお、本発明は前記実施形態に限定されるものではなく、種々の変形、改良等が可能である。本実施形態では、所定の操作により、絵文字が含まれる文字情報と文章から構成される文字情報とを相互に変換する場合について説明したが、これに限定されない。すなわち、携帯電話機１は、図８に一例を示すように、絵文字と所定の単語とを変換する場合に、複数段階の変換レベルを設定することもできる。
【００９４】
図８は、携帯電話機１を所定方向に複数回振った場合における携帯電話機１の動作を示す図である。
図８（ａ）に示すように絵文字を含む受信メールを表示部２１に表示させた状態で、使用者が携帯電話機１を縦方向に１回振った場合、文字情報変換部４９は、図６を用いて説明した場合と同様な動作により、一部の絵文字を所定の単語に変換する。例えば、文字情報変換部４９は、図８（ａ）に示すように「おじいさんの顔」を表す絵文字７０を、図８（ｂ）に示すように「じじ」という単語７１に置き換える。
【００９５】
さらに、使用者が携帯電話機１を縦方向に１回振った場合、文字情報変換部４９は、一部の絵文字を所定の単語に変換する。例えば、文字情報変換部４９は、図８（ｂ）に示すように「学校」を表す絵文字７２を、図８（ｃ）に示すように「学校」という単語７３に置き換える。
【００９６】
さらに、使用者が携帯電話機１を縦方向に１回振った場合、文字情報変換部４９は、一部の絵文字を所定の単語に変換する。例えば、文字情報変換部４９は、図８（ｃ）に示すように「ご機嫌〜」を表す絵文字（音符）７４を、図８（ｄ）に示すように「ご機嫌〜」という単語７５に置き換える。
【００９７】
さらに、使用者が携帯電話機１を横方向に振った場合は、文字情報変換部４９は、段階的に一部の単語を絵文字に変換する。
【００９８】
図９は、複数段階の変換レベルが設定された場合の文字変換時の状態遷移図である。図１０は、絵文字−単語変換表を説明する図である。
【００９９】
図９に示すように、メール又はＷｅｂが起動されると、メール及びＷｅｂが表示部２１に表示される。このとき、表示部２１には、図８（ａ）に示すような絵文字を含む文字情報が表示されている。次に、携帯電話機１が横方向に振られると、文字情報変換部４９は、記憶部６０に記憶されている単語と絵文字との対応表（図１０（ａ）に示す状態１変換テーブル）に基づいて、一部の絵文字を所定の単語（テキスト）に変換する。これにより、携帯電話機１は、図８（ｂ）に示すような表示を行う状態１になる。一方、携帯電話機１が状態１となっている場合において、携帯電話機１が縦方向に振られると、文字情報変換部４９は、状態１変換テーブルに基づいて、所定の単語（テキスト）を絵文字に変換する。
【０１００】
また、携帯電話機１が状態１となっている場合において、携帯電話機１が横方向に振られると、文字情報変換部４９は、記憶部６０に記憶されている単語と絵文字との対応表（図１０（ｂ）に示す状態２変換テーブル）に基づいて、一部の絵文字を所定の単語（テキスト）に変換する。これにより、携帯電話機１は、図８（ｃ）に示すような表示を行う状態２になる。一方、携帯電話機１が状態２となっている場合において、携帯電話機１が縦方向に振られると、文字情報変換部４９は、状態２変換テーブルに基づいて、所定の単語（テキスト）を絵文字に変換する。
【０１０１】
さらに、携帯電話機１が状態２となっている場合において、携帯電話機１が横方向に振られると、文字情報変換部４９は、記憶部６０に記憶されている単語と絵文字との対応表（図１０（ｃ）に示す状態３変換テーブル）に基づいて、一部の絵文字を所定の単語（テキスト）に変換する。これにより、携帯電話機１は、図８（ｄ）に示すような表示を行う状態３になる。一方、携帯電話機１が状態３となっている場合において、携帯電話機１が縦方向に振られると、文字情報変換部４９は、状態３変換テーブルに基づいて、所定の単語（テキスト）を絵文字に変換する。
【０１０２】
このように、携帯電話機１は、変換テーブルを複数備えることにより、複数段階に分けて絵文字と所定の単語との変換を行う。これにより、使用者は、絵文字を使用するときの習熟度に応じて絵文字と所定の単語との変換を行わせることができ、絵文字を含む文字情報の意味を容易に理解することができる。
【０１０３】
なお、本実施形態では、受信メールの件名及び本文に含まれる絵文字を所定の単語に変換する場合について説明したが、これに限定されない。すなわち、文字情報変換部４９は、通信部３１（Ｗｅｂ）を介して取得された文字情報、操作部１１による操作に基づいて取得された文字情報、撮像部３２を利用して取得された文字情報、マイク１２を介して取得された文字情報等に絵文字が含まれる場合に、その絵文字を所定の単語に変換することができる。また、文字情報変換部４９は、通信部３１（Ｗｅｂ）を介して取得された文字情報、操作部１１による操作に基づいて取得された文字情報、撮像部３２を利用して取得された文字情報、マイク１２を介して取得された文字情報等に含まれる所定の単語を絵文字に変換することもできる。
【０１０４】
＜変形例＞
なお、本発明は第１から第２の実施形態に限定されるものではなく、本発明の目的を達成できる範囲での変形、改良等は本発明に含まれる。
【０１０５】
上記実施形態では、携帯電話機１を横方向に振る又は携帯電話機１を縦方向に振ることに基づいてトリガ信号検出部４２が所定のトリガ信号として検出していたが、これに限定されることはない。すなわち、携帯電話機１では、携帯電話機１が第１所定方向に変位したことに基づいてトリガ信号検出部４２が第１トリガ信号を検知した場合に、文章から構成された文字情報を簡単化された文字情報に変換すればよい。また、携帯電話機１では、携帯電話機１が第１所定方向とは異なる第２所定方向に変位したことに基づいてトリガ信号検出部４２が第２トリガ信号を検知した場合に、簡単化された文字情報を文章から構成された文字情報に変換すればよい。したがって、例えば、第１所定方向が右方向の場合には、第２所定方向は左方向になっていればよい。また、第１所定方向が右回転の円を描く場合には、第２所定方向は左回転の円を描くようになっていればよい。
【０１０６】
また、上記実施形態では、携帯電話機１を所定方向に振った場合に、文章から構成された文字情報を簡単化された文字情報に変換し、又は簡単化された文字情報を文章から構成された文字情報に変換する場合について説明したが、これに限定されることはない。すなわち、携帯電話機１を所定時間内に所定回数、所定方向に振った場合に、文字情報変換部４３、４９は、文章から構成された文字情報と簡単化された文字情報とを変換してもよい。
【０１０７】
この場合、文章から構成された文字情報を、その文字情報から文章の要素を抽出して所定の順に並べ替えることにより簡単化する場合と、文章から構成された文字情報を、その文字情報に含まれる所定の単語を当該単語に関連する絵文字に置き換えて簡単化する場合とで、所定方向に振る回数を変えてもよい。例えば、文字情報変換部４３は、携帯電話機１が所定時間内に１回、横方向に振られたことに基づいて、文章から構成された文字情報を、その文字情報から文章の要素を抽出して所定の順に並べ替えることにより簡単化すればよい。また、文字情報変換部４９は、携帯電話機１が所定時間内に２回、横方向に振られたことに基づいて、文章から構成された文字情報を、その文字情報に含まれる所定の単語を当該単語に関連する絵文字に置き換えることにより簡単化すればよい。
【０１０８】
また、上記実施形態では、トリガ信号入力部５０として加速度センサ５１を利用した場合について説明したが、これに限定されない。すなわち、トリガ信号入力部５０は、接触センサであってもよい。接触センサは、検出体（例えばタッチパネル等）の表面を移動（変位）する外部物体（例えば使用者の指等）の移動方向（変位方向）を検出して、移動方向の情報を含むトリガ信号をトリガ信号検出部４２に入力させる。この場合、トリガ信号検出部４２は、入力されたトリガ信号に基づいて移動方向の情報を取得する。
【０１０９】
またトリガ信号入力部５０は、音声認識部であってもよい。音声認識部は、音声が入力された場合に、音声を認識してテキストデータに変換し、テキストデータをトリガ信号検出部４２に入力させる。この場合、トリガ信号検出部４２は、入力されたテキストデータを構成するテキストに所定テキストが含まれる場合に、所定のトリガ信号として検出する。
【０１１０】
また、上記実施形態では簡単化された文字情報を表示部２１に表示する場合について説明したが、これに限定されない。すなわち、制御部４０には、使用者の操作に応じて簡単化された文字情報を編集する文字情報編集部４７が備えられていてもよい。これにより、簡単化された文字情報を編集する必要が生じたときには、文字情報編集部４７は、使用者による操作部１１等の操作に基づいて簡単化された文字情報を編集する。
【０１１１】
また、上記実施形態では、簡単化された文字情報を表示部２１に表示するときに、簡単化された文字情報と、文章から構成される文字情報とが同じ大きさのフォントで表示される場合について説明したが、これに限定されない。すなわち、表示制御部４４は、簡単化された文字情報を、文章から構成される文字情報よりも大きなフォントで表示部２１に表示させてもよい。大きなフォントで表示することにより、視認性の向上が図れる。
【０１１２】
また、上記実施形態では、文字情報変換部４３、４９により簡単化された文字情報を文章から構成された文字情報に変換した後、表示制御部４４により文章から構成された文字情報を表示部２１に表示させる場合について説明したが、これに限定されない。すなわち、使用者の操作に基づいて制御部４０により簡単化された文字情報の他に任意のメッセージが追加された場合、文字情報変換部４３、４９により簡単化された文字情報を文章から構成された文字情報に変換した後、表示制御部４４は、文章から構成された文字情報と共に、追加されたメッセージを表示部２１に表示させてもよい。
【０１１３】
また、上記実施形態では、携帯電子機器の一例としてヒンジ機構４を介して操作部側筐体２と表示部側筐体３とが相対的に動く、いわゆる折り畳み式の携帯電話機１を挙げているが、これに限らない。即ち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【０１１４】
また、上記実施形態では、本発明を携帯電子機器としての携帯電話機１に適用したが、これに限らない。即ち、本発明を、情報携帯端末（ＰＤＡ）、ノートパソコン、デジタルカメラ、小型オーディオプレーヤー等の他の携帯電子機器に適用してもよい。
【０１１５】
また、上記の実施形態では、文字情報変換部４３、４９を携帯電子機器１が備えている場合について説明したが、これにかえて、図１１に示すように、文字情報変換部１４３を、サーバ機能等を備えた外部演算部１０１に配置してもよい。この場合、携帯電話機１は、変換する対象となる文字情報と、当該文字情報を変換する旨の所定のトリガ信号を検出した旨を、携帯電話機１側の通信部３１及び外部演算部１０１側の通信部１３１を介して、外部演算部１０１に送信する。そして、外部演算部１０１の文字情報変換部１４３が、文字情報を変換する。さらに、外部演算部１０１は、変換された後の文字情報を、通信部を介して、携帯電話機１に送信する。なお、文字情報の変換に際して必要な判定を行う判定部１４８や当該処理に必要な情報を記憶する記憶部１６０等も、外部演算部１０１に配置してもよい。このように、文字情報変換部１４３を、サーバ機能等を備えた外部演算部１０１に配置することは、上述したいずれの実施形態に対しても適用できる。そして、例えば文字情報変換部１４３を外部演算部１０１に備えた場合、外部演算部の演算処理速度が、携帯電話機１の演算処理速度に比べて早い場合等にメリットがある。
【符号の説明】
【０１１６】
１  携帯電話機（携帯電子機器）
２１  表示部
３０  入力部
４０  制御部
４１  文字情報取得部
４２  トリガ信号検出部
４３  文字情報変換部
４４  表示制御部
４８  判定部
４９  文字情報変換部
５１  加速度センサ
６０  記憶部
１０１  外部演算部
１４３  文字情報変換部
【図１】
0005626749.tif 000002
【図２】
0005626749.tif 000003
【図３】
0005626749.tif 000004
【図４】
0005626749.tif 000005
【図５】
0005626749.tif 000006
【図６】
0005626749.tif 000007
【図７】
0005626749.tif 000008
【図８】
0005626749.tif 000009
【図９】
0005626749.tif 000010
【図１０】
0005626749.tif 000011
【図１１】
0005626749.tif 000012